Podtech/llm-jp-corpus-v4-ja_patent huggingface dataset:
【手続補正書】
【提出日】平成23年11月9日(2011.11.9)
【手続補正１】
【補正対象書類名】特許請求の範囲
【補正対象項目名】全文
【補正方法】変更
【補正の内容】
【特許請求の範囲】
【請求項１】
通知に含まれることになる複数のデータ・タイプのうちの少なくとも１つを選択するユーザ入力を受信することであって、前記複数のデータ・タイプは、複数のユーザ間での共同セッション中に交換される共同セッション・データに対応する、受信すること、
前記共同セッション中に共同セッション・データをバッファリングすること、
察知トリガ・イベント発生の検出に応答して、前記複数のデータ・タイプのうちで前記選択された少なくとも１つに対応する前記バッファリングされた共同セッション・データの少なくとも一部を備える前記通知を出力すること、
を含む、共同作業についてユーザに警告する方法であって、
前記通知に含まれることになるそれぞれの選択されたデータ・タイプについて、前記バッファリングされる共同セッション・データの量を指定するユーザ入力を受信することをさらに含み、
察知トリガ・イベント発生の検出に応答して、複数のデータ・タイプのうちで前記選択された少なくとも１つに対応する前記バッファリングされた共同セッション・データの少なくとも一部を備える前記通知を出力することが、それぞれの選択されたデータ・タイプについて前記バッファリングされる共同セッション・データの前記ユーザ指定量を前記通知内で出力することをさらに含む、方法。
【請求項２】
前記共同データが、インスタント・メッセージ・トランスクリプト、テキスト記述、アップロードされたファイル、視覚イベント、音声コンテンツの音声認識可能トランスクリプト、または共同セッション中に収集された任意の他のタイプのデータを備える、請求項１に記載の方法。
【請求項３】
バッファリングされた共同データが、前記共同セッション・データを第１の形式から第２の形式へと変換することを含む、請求項１に記載の方法。
【請求項４】
共同セッション・データが、共同サーバによって決定された時点で、前記共同サーバによってバッファリングされる、請求項１に記載の方法。
【請求項５】
どのタイプの共同セッション・データをバッファリングすることになるかを選択的に決定することをさらに含む、請求項１に記載の方法。
【請求項６】
前記共同セッション中に共同セッション・データをバッファリングすることが、
チャット・テキスト・トランスクリプトを生成するために前記共同セッションにおいて参加者間で交換されるメッセージをコンパイルすること、および、
前記バッファリングされた共同セッション・データの一部として前記共同セッションの前記チャット・テキスト・トランスクリプトをバッファリングすること、
をさらに含む、請求項１に記載の方法。
【請求項７】
前記共同セッション中に共同セッション・データをバッファリングすることが、
前記共同セッション中の状態変化を検出すること、
それぞれの状態変化についてテキスト記述を生成すること、および、
前記バッファリングされた共同セッション・データの一部として前記テキスト・トランスクリプトをバッファリングすること、
をさらに含む、請求項１に記載の方法。
【請求項８】
前記察知トリガ・イベントを指定するユーザ入力を受信することをさらに含む、請求項１に記載の方法。
【請求項９】
前記察知トリガ・イベントを指定するユーザ入力を受信することが、前記察知トリガ・イベントとなる前記共同セッション・データ内のキーワードの発生を指定するユーザ入力を受信することをさらに含む、請求項８に記載の方法。
【請求項１０】
前記察知トリガ・イベントを指定するユーザ入力を受信することが、前記察知トリガ・イベントとなる前記共同セッション中に発生する状態変化を指定するユーザ入力を受信することをさらに含む、請求項８に記載の方法。
【請求項１１】
共同セッション・データが音声データを含み、前記共同セッション中に共同セッション・データをバッファリングすることが、
テキスト・トランスクリプトを生成するために音声データを音声認識すること、および、
前記バッファリングされた共同セッション・データの一部として前記テキスト・トランスクリプトをバッファリングすること、
をさらに含む、請求項１に記載の方法。
【請求項１２】
察知トリガ・イベント発生の検出に応答して、複数のデータ・タイプのうちで前記選択された少なくとも１つに対応する前記バッファリングされた共同セッション・データの少なくとも一部を備える前記通知を出力することが、
それぞれの選択されたデータ・タイプについて、前記察知トリガ・イベントの発生の検出前に蓄積された所定量の共同セッション・データを選択すること、および、
それぞれの選択されたデータ・タイプについて、前記所定量の共同セッション・データを前記通知内に表示すること、
をさらに含む、請求項１に記載の方法。
【請求項１３】
コンピュータ上で実行された場合、前記いずれかの請求項に記載された本発明を実施するために実行するためのソフトウェア・コード部分を備える、デジタル・コンピュータの内部メモリにロード可能なコンピュータ・プログラム。
【手続補正書】
【提出日】平成24年7月26日(2012.7.26)
【手続補正１】
【補正対象書類名】特許請求の範囲
【補正対象項目名】全文
【補正方法】変更
【補正の内容】
【特許請求の範囲】
【請求項１】
１又は２以上のスポンサブランドについての１又は２以上の記述をスコアリングするための、プログラムに従ったスコアリング装置であって：
・表示装置上に表示されるコンテンツレビューウィンドウ；
・少なくとも１つのスコアリング入力を示す、有形のデータストレージデバイスに記録されたコンピュータデータ；
・少なくとも１つのプロセッサーと関連付けられたレビュートラッカー、ここで前記レビュートラッカーは、前記スコアリング入力に入力された１又は２以上の記述に対するスコアと、コンピュータが読取可能で、前記スコアリング入力に入力された各スコアに関連付けられた少なくとも１つの特性とを追跡する；
・少なくとも１つのプロセッサーと関連付けられた管理エンジン、ここで前記管理エンジンは、複数の前記スコアリング入力のうち少なくとも２つの間に、有限な偏差を与えるために、複数の前記スコアリング入力を管理する、
を備える装置。
【請求項２】
請求項１に記載の装置であって、前記少なくとも１つのスコアリング入力のうち第一の複数の入力は、エキスパートスコアリング入力を含み、且つ前記少なくとも１つのスコアリング入力のうち第二の複数の入力は、非エキスパートスコアリング入力を含む、該装置。
【請求項３】
請求項２に記載の装置であって、前記１又は２以上の記述の少なくとも１つは、最初に発生した記述を含み、前記最初に発生した記述は、エキスパートスコアリング入力の少なくとも１つに入力されたスコアを含む、該装置。
【請求項４】
請求項１に記載の装置であって、前記レビュートラッカーは：対象となっているスコアの、典型的なスコアからの変動性；対象となっているスコアが入力される前のレビュー時間の長さ；及び対象となっているスコアのスコアリング入力の身元；から成る群からの少なくとも１つを含む特性の少なくとも１つを追跡する、該装置。
【請求項５】
請求項１に記載の装置であって、前記有限な偏差の許容範囲が、記述の数が少ないと増加する、該装置。
【請求項６】
請求項５に記載の装置であって、有限な偏差の許容範囲が、記述の対象者の名声のレベルに、比例して減少する、該装置。
【請求項７】
請求項１に記載の装置であって、前記管理エンジンが、スコアリング入力の１つに基づく複数のスコアを調整する、該装置。
【請求項８】
請求項１に記載の装置であって、前記管理エンジンが、前記少なくとも１つのスコアリング入力のそれぞれに対応する各レビューアーの為のトレーナーを備える、該装置。
【請求項９】
請求項１に記載の装置であって、複数スコアが、収束することを含む、該装置。
【請求項１０】
請求項１に記載の装置であって、複数スコアが、非収束であることを含む、該装置。
【請求項１１】
請求項１に記載の装置であって、前記レビュートラッカーが、統計分析器を備える、該装置。
【請求項１２】
請求項１に記載の装置であって、前記レビューウィンドウが、複数の記述の要約提示を含む、該装置。
【請求項１３】
１又は２以上のスポンサーブランドについての、１又は２以上のインターネットの記述をスコアリングする方法であって、：
・１又は２以上の記述を、対応する１以上のエキスパートによるレビューの為に、表示装置上に提示し；
・コンピューター化された通信ネットワークを介して、前記１又は２以上の各記述とユニークに関連付けられた１又は２以上の各エキスパートからの少なくとも１つのスコアを示すコンピューターデータを受け取り；
・前記１又は２以上の各記述に関する全てのスコア、及び各スコアに関連付けられた複数の特性を追跡し；並びに
・各記述に関するネットスコアを前記追跡に従って蓄積する、
ことを含み、前記受け取り、前記追跡及び前記蓄積は、少なくとも１つのプロセッサー上で実行される少なくとも１つのコンピュータアプリケーションによって行われる、該方法。
【請求項１４】
請求項１３に記載の方法であって、ネットスコアは、スコア間の有限な偏差を含む該方法。
【請求項１５】
請求項１３に記載の方法であって、高度な専門知識を有する複数のエキスパートに対して、ネットスコアの重み付けを行うことを更に含む、該方法。
【請求項１６】
請求項１３に記載の方法であって、複数の記述の頻度によって、ネットスコアの重み付けを行うことを更に含む、該方法。
【請求項１７】
請求項１３に記載の方法であって、記述の対象者の名声レベルに従い、ネットスコアの重み付けを行うことを更に含む、該方法。
【請求項１８】
請求項１３に記載の方法であって、ネットスコアが収束することを含む、該方法。
【請求項１９】
請求項１３に記載の方法であって、前記提示がレビューのために、少なくとも１つの記述の要約を提示することを含む、該方法。
【請求項２０】
請求項１３に記載の方法であって、更にネットスコアを統計学的に分析することを含む、該方法。
【手続補正書】
【提出日】平成24年7月4日(2012.7.4)
【手続補正１】
【補正対象書類名】特許請求の範囲
【補正対象項目名】全文
【補正方法】変更
【補正の内容】
【特許請求の範囲】
【請求項１】
記憶装置上のコンテンツの記憶を制御する方法であって、
記憶装置を備え、ホストと通信するように構成された記憶システムにおいて、
コンテンツをキャッシュするように構成された前記記憶装置でコンテンツのキャッシングについての通信を受け取り、かつ
前記記憶装置上で第１のデータオブジェクトのセットをキャッシュするための記憶コストを、少なくとも一部は第１のデータオブジェクトのセットの特性と、前記記憶装置によって前に行われた読み出し／書き込み動作の総数を含む記憶装置の特性とに基づいて決定する方法。
【請求項２】
請求項１記載の方法において、
前記記憶装置上の第１のデータオブジェクトのセットのキャッシングを、少なくとも一部は前記記憶コストに基づいて制御することをさらに含む方法。
【請求項３】
請求項１記載の方法において、
前記記憶コストは、挿入されるべきデータオブジェクトの特性にも基づいて決定される方法。
【請求項４】
請求項１記載の方法において、
前記記憶コストは、削除されるべきデータオブジェクトの特性にも基づいて決定される方法。
【請求項５】
請求項１記載の方法において、
前記記憶コストは、更新されるべきデータオブジェクトの特性にも基づいて決定される方法。
【請求項６】
請求項１記載の方法において、
前記記憶装置の特性は、記憶装置の内部構造、記憶装置の使用年数、記憶装置の管理能力、記憶装置の訂正能力、記憶装置上にすでに記憶されているコンテンツ、または記憶装置の環境条件のうちの少なくとも１つをさらに含む方法。
【請求項７】
請求項１記載の方法において、
前記記憶コストを決定するための基礎とされる特性に付随する情報のデータベースを維持することをさらに含む方法。
【請求項８】
請求項１記載の方法において、
前記記憶コストを決定するための基礎とされる特性に変化が生じ次第、前記記憶コストを動的に更新することをさらに含む方法。
【請求項９】
請求項１記載の方法において、
前記記憶コストは、前記記憶装置上のデータオブジェクトのキャッシングによる影響を受けるホストのアクティビティの特性にも基づいて決定される方法。
【請求項１０】
ホストと通信するように構成された記憶システムであって、
コンテンツをキャッシュするように構成された記憶装置と、
前記記憶装置上で第１のデータオブジェクトのセットをキャッシュするための前記記憶装置への記憶コストを、少なくとも一部は第１のデータオブジェクトのセットの特性と、前記記憶装置によって前に行われた読み出し／書き込み動作の総数を含む記憶装置の特性とに基づいて決定するように構成された記憶装置エージェントと、
前記記憶装置上の第１のデータオブジェクトのセットのキャッシングを、少なくとも一部は前記記憶コストに基づいて制御するように構成されたキャッシュマネージャと、を備え、
前記記憶装置エージェントは、前記記憶装置および前記キャッシュマネージャと通信し、前記キャッシュマネージャに前記記憶コストを提供するように構成された記憶システム。
【請求項１１】
請求項１０記載の記憶システムにおいて、
前記記憶装置の特性は、記憶装置の内部構造、記憶装置の使用年数、記憶装置の管理能力、記憶装置の訂正能力、記憶装置上にすでに記憶されているコンテンツ、または記憶装置の環境条件のうちの少なくとも１つをさらに含む記憶システム。
【請求項１２】
請求項１０記載の記憶システムにおいて、
前記記憶装置は、フラッシュ技術に準拠した構成を有する記憶システム。
【請求項１３】
請求項１０記載の記憶システムにおいて、
前記記憶装置エージェントは、前記記憶装置内に組み込まれている記憶システム。
【請求項１４】
請求項１０記載の記憶システムにおいて、
前記記憶装置エージェントは、前記キャッシュマネージャを収容するホストの一部である記憶システム。
【手続補正書】
【提出日】平成24年7月13日(2012.7.13)
【手続補正１】
【補正対象書類名】特許請求の範囲
【補正対象項目名】全文
【補正方法】変更
【補正の内容】
【特許請求の範囲】
【請求項１】
保持グラフ情報を、時間テクスチャー情報として記憶される時間情報およびアニメーションテクスチャー情報として記憶されるアニメーション情報を含む保持グラフテクスチャー情報に変換するためのテクスチャーコンポーネントと、
前記保持グラフテクスチャー情報を完全にグラフィックス処理ユニット（ＧＰＵ）上で評価するためのシェーダーコンポーネントと、
を含み、前記シェーダーコンポーネントは、
前記時間テクスチャー情報を評価し前記時間テクスチャー情報に基づいて進行状況テクスチャー情報を出力する第１のピクセルシェーダーと、
前記進行状況テクスチャー情報および前記アニメーションテクスチャー情報を受け取り、前記進行状況テクスチャー情報に基づいて前記アニメーションテクスチャー情報を補間し、前記進行状況テクスチャー情報および前記アニメーションテクスチャー情報に基づいて色テクスチャー情報、位置テクスチャー情報、または不透明度テクスチャー情報のうちの少なくとも１つを出力する第２のピクセルシェーダーと、
前記第２のピクセルシェーダーから出力された少なくともパス頂点データおよびテクスチャー情報を受け取り、前記第２のピクセルシェーダーから出力された前記パス頂点データおよびテクスチャー情報に基づいて変形済み頂点データを出力する頂点シェーダーと、
を含む、グラフィックス処理システム。
【請求項２】
前記シェーダーコンポーネントの前記第１および第２のピクセルシェーダーが、複数レベルの変形の変形階層を構成し変形階層評価情報を出力する、請求項１に記載のシステム。
【請求項３】
前記保持グラフテクスチャー情報が、変形テクスチャー情報として記憶される変形情報を含む、請求項１に記載のシステム。
【請求項４】
前記保持グラフテクスチャー情報がさらに階層的シーングラフ情報を含み、前記シェーダーコンポーネントがシーングラフ変形を評価する、請求項１に記載のシステム。
【請求項５】
前記シェーダーコンポーネントがパスをラスタライズする、請求項１に記載のシステム。
【請求項６】
保持グラフ情報を、時間テクスチャー情報として記憶される時間情報を含む保持グラフテクスチャー情報に変換するための、ＧＰＵのテクスチャーコンポーネントと、
前記時間テクスチャー情報を評価し前記時間テクスチャー情報に基づいて進行状況テクスチャー情報を出力するための、ＧＰＵの１つまたは複数のピクセルシェーダーと、
ＧＰＵの頂点シェーダーと、
を含み、前記頂点シェーダー及び前記１つまたは複数のピクセルシェーダーのうちの少なくとも１つは、変形構成を変形テクスチャー情報として評価するよう構成される、
グラフィックス処理システム。
【請求項７】
前記保持グラフテクスチャー情報は、時間テクスチャー情報、アニメーションテクスチャー情報、および変形テクスチャー情報を含み、すべてが完全にＧＰＵ上で評価される、請求項６に記載のシステム。
【請求項８】
アニメーションテクスチャー情報および前記進行状況テクスチャー情報を評価するためのピクセルシェーダーをさらに含む、請求項６に記載のシステム。
【請求項９】
パスをラスタライズするためのシェーダーをさらに含む、請求項６に記載のシステム。
【請求項１０】
前記１つまたは複数のピクセルシェーダーは、さらに変形の階層を評価し、前記頂点シェーダーは、その結果生じる変形をパス頂点データに適用する、請求項６に記載のシステム。
【請求項１１】
時間情報を含む保持グラフ情報を、時間テクスチャー情報を含む保持グラフテクスチャー情報に変換するステップと、
１つまたは複数のピクセルシェーダーおよび１つまたは複数の頂点シェーダーを使用して、ＧＰＵ上で前記保持グラフテクスチャー情報を評価するステップと、
前記１つまたは複数のピクセルシェーダーを使用して前記時間テクスチャー情報を処理し、前記時間テクスチャー情報に基づいて進行状況テクスチャー情報を出力すると共に、前記１つまたは複数のピクセルシェーダーを使用して前記進行状況テクスチャー情報およびアニメーションテクスチャー情報を処理し、アニメーション変形、不透明度、および色テクスチャー情報を生成するステップと、
タイミングノード情報を第１のテクスチャーに、アニメーションノード情報を第２のテクスチャーに、シーングラフ変形の記述を第３のテクスチャーに記憶するステップと、
前記タイミングノード情報、アニメーションノード情報、およびシーングラフ変形の記述を処理して最終的なシーンラスタライズを実行するステップと、
を含む、グラフィックスを処理する方法。
【請求項１２】
アニメーション情報および階層的シーングラフ情報を前記保持グラフテクスチャー情報の一部として記憶し、前記アニメーション情報および階層的シーングラフ情報に基づいてシーングラフ変形を評価するステップをさらに含む、請求項１１に記載の方法。
【請求項１３】
前記１つまたは複数のピクセルシェーダーを使用してパスのラスタライズを行うステップをさらに含む、請求項１１に記載の方法。
【請求項１４】
前記１つまたは複数の頂点シェーダーを使用して変形階層、パス頂点データ、ならびに計算されたアニメーション変形、位置、不透明度、および色テクスチャー情報を評価するステップをさらに含む、請求項１１に記載の方法。
【手続補正書】
【提出日】平成24年7月4日(2012.7.4)
【手続補正１】
【補正対象書類名】特許請求の範囲
【補正対象項目名】全文
【補正方法】変更
【補正の内容】
【特許請求の範囲】
【請求項１】
１つまたは複数のプロセッサとコンピュータプログラムを記録したメモリとを備えたシステムであって、前記コンピュータプログラムは、実行されると前記１つまたは複数のプロセッサを、
コンピューティングデバイスによるコンピューティングコマンドの実行を開始させるためのジェスチャを定義するように複数のユーザにプロンプトするジェスチャセットクリエイタであって、当該プロンプトは実行される前記コンピューティングコマンドの動作のアニメーションを含む、前記ジェスチャセットクリエイタと、
前記コンピューティングコマンドの動作のアニメーションを含む前記プロンプトに応答して前記複数のユーザの手の動き受信するインターフェースコンポーネントと、
前記複数のユーザの手の動きをトラッキングする視覚ベース検出コンポーネント（１０４）であり、トラッキングされた手の動きは前記ジェスチャセットクリエイタによって収集される、前記視覚ベース検出コンポーネントと、
ユーザ定義のジェスチャセットに含めるために、前記手の動きの相関に基づいて推定を生成して前記コンピューティングコマンドの実行を開始することに関して前記複数のユーザにより定義された少なくとも２つの関連づけられていないジェスチャを識別するインテリジェントコンポーネントと
として機能させることを特徴とするシステム。
【請求項２】
前記手の動きは、手のジェスチャ、指のジェスチャ、手の一部が仮想オブジェクトと相互作用すること、手の一部が表面と相互作用すること、または、手の一部が有形のオブジェクトと相互作用すること、の内の少なくとも１つを含むことを特徴とする請求項１に記載のシステム。
【請求項３】
前記コンピューティングコマンドは、データを選択するコマンド、データのセットを選択するコマンド、グループを選択するコマンド、データを移動するコマンド、データをパンするコマンド、データを回転するコマンド、データを切り取るコマンド、データを貼り付けるコマンド、データを複写するコマンド、データを削除するコマンド、許諾するコマンド、ヘルプを要求するコマンド、拒否するコマンド、メニューを要求するコマンド、アンドゥコマンド、データを拡大するコマンド、データを縮小するコマンド、ズームインするコマンド、ズームアウトするコマンド、オープンコマンド、最小化コマンド、次へコマンド、前へコマンド、の内の少なくとも１つであることを特徴とする請求項１に記載のシステム。
【請求項４】
前記コンピューティングコマンドの動作のアニメーションは、前記ジェスチャセットクリエイタによって前記コンピューティングデバイスのディスプレイに表示されることを特徴とする請求項１に記載のシステム。
【請求項５】
前記コンピューティングコマンドの動作のアニメーションは、言葉による説明を伴うことを特徴とする請求項１に記載のシステム。
【請求項６】
前記ジェスチャは、１つのものを選択する少なくとも１つのジェスチャ、グループを選択する少なくとも１つのジェスチャ、移動の少なくとも１つのジェスチャ、パンの少なくとも１つのジェスチャ、切り取りの少なくとも１つのジェスチャ、貼り付けの少なくとも１つのジェスチャ、回転の少なくとも１つのジェスチャ、複写の少なくとも１つのジェスチャ、削除の少なくとも１つのジェスチャ、許諾の少なくとも１つのジェスチャ、拒否の少なくとも１つのジェスチャ、ヘルプの少なくとも１つのジェスチャ、メニューの少なくとも１つのジェスチャ、アンドゥの少なくとも１つのジェスチャ、拡大／縮小の少なくとも１つのジェスチャ、オープンの少なくとも１つのジェスチャ、ズームイン／アウトの少なくとも１つのジェスチャ、最小化の少なくとも１つのジェスチャ、および、次へ／前への少なくとも１つのジェスチャ、を含むことを特徴とする請求項１に記載のシステム。
【請求項７】
前記コンピュータプログラムは、前記プロセッサを、前記ジェスチャの少なくとも１つを真似るための指示を提供するチュートリアルコンポーネントとしてさらに機能させることを特徴とする請求項１に記載のシステム。
【請求項８】
前記ジェスチャセットクリエイタは、少なくとも部分的に履歴データ収集に基づき、前記ユーザ定義のジェスチャセットに周期的な調整を与えることを特徴とする請求項１に記載のシステム。
【請求項９】
それぞれの推定は、手の動きをコンピューティングコマンドに関連づけることを特徴とする請求項１に記載のシステム。
【請求項１０】
前記インテリジェントコンポーネントは、サポートベクタマシン、ニューラルネットワーク、エキスパートシステム、ベイジアン信念ネットワーク、ファジー理論またはデータ融合エンジンを用いてそれぞれの推定を生成することを特徴とする請求項１に記載のシステム。
【請求項１１】
１つまたは複数のプロセッサとメモリを有するコンピュータにおいて実施する方法であって、
前記プロセッサが、コンピューティングデバイスによるコンピューティングコマンドの実行を開始させるためのジェスチャを定義するように複数のユーザにプロンプトすることであって、当該プロンプトは実行される前記コンピューティングコマンドの動作のアニメーションを含む、ことと、
前記プロセッサが、前記コンピューティングコマンドの動作のアニメーションを含む前記プロンプトに応答して前記複数のユーザの手の動き受信することと、
前記プロセッサが、ユーザ定義のジェスチャセットに含めるために、推定を生成して前記コンピューティングコマンドの実行を開始することに関して前記複数のユーザにより定義された少なくとも２つの関連づけられていないジェスチャを識別することであって、前記少なくとも２つの関連づけられていないジェスチャは、１つの手の少なくとも一部で行われる第１のジェスチャと、２つの手の各々の少なくとも一部で行われる第２のジェスチャとを含むこと
を含むことを特徴とする方法。
【請求項１２】
コンピュータプログラムを記録した記録媒体であって、前記プログラムは１つまたは複数のプロセッサ及びメモリを有するコンピュータにより実行されると前記プロセッサに、
コンピューティングデバイスによるコンピューティングコマンドの実行を開始させるためのジェスチャを定義するように複数のユーザにプロンプトすることであって、当該プロンプトは前記コンピューティングコマンドの動作のアニメーションを含む、ことと、
実行される前記コンピューティングコマンドの動作のアニメーションを含む前記プロンプトに応答して前記複数のユーザの手の動き受信することと、
前記手の動きの相関に基づいて推定を生成して前記コンピューティングコマンドの実行を開始することに関して前記複数のユーザにより定義されたジェスチャを識別することと、
前記ジェスチャをユーザ定義のジェスチャセットに前記ジェスチャを挿入することと
を実行させることを特徴とするシステム。
【手続補正書】
【提出日】平成24年7月27日(2012.7.27)
【手続補正１】
【補正対象書類名】特許請求の範囲
【補正対象項目名】全文
【補正方法】変更
【補正の内容】
【特許請求の範囲】
【請求項１】
基板であって電気的に絶縁された複数の伝導体が前記基板上に配置された基板を、前記複数の伝導体の部分集合を電気的に結合して複合電極を形成するように、変更することを含み、前記複数の伝導体が、金属又は金属合金のマイクロワイヤである、タッチセンサで使用するための構成要素の製造方法。
【手続補正書】
【提出日】平成24年7月25日(2012.7.25)
【手続補正１】
【補正対象書類名】特許請求の範囲
【補正対象項目名】全文
【補正方法】変更
【補正の内容】
【特許請求の範囲】
【請求項１】
エンドーサーと広告される所産との間の最適なマッチを提供する広告マッチングエンジンであって、
有形なデータ貯蔵デバイスに保管された複数の媒体資産を含むソフトウェアヴォールトにして、媒体資産の少なくとも一部が複数のエンドーサー候補各々とユニークに関連し、前記複数のエンドーサー候補のいくつかが、これらと関連するプロファイルを有するソフトウェアヴォールトと、
少なくとも複数のソフトウェアフィルタと、検索エンジンと、統計的ベースラインとを含む、コンピュータプロセッサで実行するバズ値エンジンにして、検索エンジンによって得られた複数のエンドーサー候補のいくつかに関連するオンライン情報に従って、統計的ベースラインと比較して、該複数のエンドーサー候補の該いくつかに対するバズを表示するバズ値エンジンと、
ソフトウェアフィルタの適用に基づいて、前記広告される所産に対する前記複数のエンドーサーの少なくとも一つのマッチを、該複数のエンドーサーの該マッチした一つのプロファイル及びバズに従って、表示し、かつ、前記複数のエンドーサーの前記マッチした一つに対応する前記複数の媒体資産のいくつかを、前記広告される所産に対する広告で使用するために提示する、表示デバイスに提示されるグラフィカルユーザインターフェースとを備える広告マッチングエンジン。
【請求項２】
前記広告される所産は広告されるサービスである請求項１の広告マッチングエンジン。
【請求項３】
前記エンドーサーはブランドを含む請求項１の広告マッチングエンジン。
【請求項４】
前記エンドーサーは有名人である請求項１の広告マッチングエンジン。
【請求項５】
前記ソフトウェアヴォールトが存在する少なくとも一つのサーバを更に備える請求項１の広告マッチングエンジン。
【請求項６】
前記媒体資産は、映像及び静止画像の少なくとも一方を含む請求項１の広告マッチングエンジン。
【請求項７】
前記資産媒体は音声を含む請求項１の広告マッチングエンジン。
【請求項８】
前記プロファイルは、エンドーサーが使用する広告される所産のいくつかを含む請求項１の広告マッチングエンジン。
【請求項９】
前記ソフトウェアフィルタは地理的フィルタからなる請求項１の広告マッチングエンジン。
【請求項１０】
前記ソフトウェアフィルタは、人フィルタのタイプからなる請求項１の広告マッチングエンジン。
【請求項１１】
前記ソフトウェアフィルタは、バズフィルタのレベルからなる請求項１の広告マッチングエンジン。
【請求項１２】
前記検索エンジンはウェブクローラを含む請求項１の広告マッチングエンジン。
【請求項１３】
前記統計的ベースラインは、実質的に同タイプのエンドーサーの平均バズを含む請求項１の広告マッチングエンジン。
【請求項１４】
前記グラフィカルユーザインターフェースは、複数の階層オーバレイメニューを有するマルチコラムフォーマットからなる請求項１の広告マッチングエンジン。
【請求項１５】
前記媒体資産の前記いくつかは、前記階層オーバレイメニューの二次もしくはより高いメニューを介してアクセス可能である請求項１の広告マッチングエンジン。
【請求項１６】
前記広告は、複数のキャンペーンのサブセットからなるキャンペーンを含み、該複数のキャンペーンの他のものが、前記グラフィカルユーザインターフェースを介してアクセス可能である請求項１の広告マッチングエンジン。
【請求項１７】
前記プロファイルは、エンドーサーの好き嫌いを含む請求項１の広告マッチングエンジン。
【請求項１８】
広告主に関連する広告キャンペーンに包含するエンドーサーの選択のために、エンドーサーのバズを決定する方法であって、
広告主の関連情報に従って、少なくとも一つのネットワークに対してエンドーサーの見込みのあるいくつかを検索するステップと、
エンドーサーの前記見込みのあるいくつかをエンドーサーの選択可能ないくつかのサブセットに限定する複数のフィルタのいくつかを適用するステップと、
前記検索からのネットワークワイドベースラインに従って、エンドーサーの前記選択可能ないくつかを正規化するステップと、
前記ネットワークワイドベースラインに関連するエンドーサーの前記選択可能ないくつかのバズを決定するステップと、
前記バズに従って、エンドーサーの前記選択可能ないくつかのうちの一つの選択を提供するステップとを含む方法。
【請求項１９】
前記検索はウェブクローリングを含む請求項１８の方法。
【請求項２０】
前記複数のフィルタの前記いくつかは地理的フィルタからなる請求項１８の方法。
【手続補正書】
【提出日】平成24年5月7日(2012.5.7)
【手続補正１】
【補正対象書類名】特許請求の範囲
【補正対象項目名】全文
【補正方法】変更
【補正の内容】
【特許請求の範囲】
【請求項１】
未知の通貨種目のスペクトル感度を評価することによって該未知の通貨種目を少なくとも１つの既知の通貨種目と比較する方法であって、
該未知の通貨種目からスペクトル感度を取得するステップと、
該未知の通貨種目の該スペクトル感度を第１の成分及び第２の成分に分離するステップと、
該未知の通貨種目の該スペクトル感度の少なくとも１つの成分を、特定の額面を有する少なくとも１つの既知の通貨種目のスペクトル感度の少なくとも１つの成分と比較するステップと、
該未知の通貨種目が該少なくとも１つの既知の通貨種目の等級の一要素であるかを判断するステップであって、該未知の通貨種目の該少なくとも１つの成分感度が、該少なくとも１つの既知の通貨種目の該少なくとも１つの成分感度と比較したときにその予め定義された許容差内にある場合、該未知の通貨種目が該少なくとも１つの既知の通貨種目の該等級の一要素であると判断するステップとを含む方法。
【請求項２】
請求項１に記載の方法において、該未知の通貨種目の該スペクトル感度は、色空間内に該未知の通貨種目の該スペクトル感度を投影することによって第１の成分に、該特定の色空間に直交する別の空間内に該未知の通貨種目の該スペクトル感度を投影することによって第２の成分に分離される、方法。
【請求項３】
請求項１又は２に記載の方法において、該第１のスペクトル成分が基本メタマーである方法。
【請求項４】
請求項１乃至３のいずれか１項に記載の方法において、該第２のスペクトル成分がブラック・メタマーである方法。
【請求項５】
請求項１に記載の方法において、色空間を使用して該スペクトル感度を評価することを含む方法。
【請求項６】
請求項５に記載の方法において、該色空間に直交する第２の空間が確立される方法。
【請求項７】
請求項１乃至６のいずれか１項に記載の方法において、該色空間がＣＩＥ ＸＹＺ空間である方法。
【請求項８】
請求項１乃至７のいずれか１項に記載の方法において、該色空間がＣＩＥ Ｌａｂ空間である方法。
【請求項９】
請求項１乃至８のいずれか１項に記載の方法において、通貨検証部によって行われる方法。
【請求項１０】
挿入された未知の通貨種目からスペクトル感度情報を取得するように構成された検証部を備える、通貨種目を判別する装置であって、該検証部が、
少なくとも１つの成分感度を有する少なくとも１つの既知の通貨種目のスペクトル感度情報を格納するメモリ部と、
該挿入された未知の通貨種目からスペクトル情報を取得する感知部と、
該挿入された未知の通貨種目の該スペクトル感度情報から該挿入された未知の通貨種目の少なくとも１つのスペクトル成分感度を取得するように構成された処理部とを含み、
該検証部が、挿入された未知の通貨種目の該少なくとも１つの成分感度を該少なくとも１つの既知の通貨種目の少なくとも１つの成分感度と比較し、該挿入された未知の通貨種目の該少なくとも１つの成分感度の比較が該メモリ部に格納された該少なくとも１つの既知の通貨種目の該少なくとも１つの成分感度の予め定められた許容差内にある場合、該挿入された未知の通貨種目が該少なくとも１つの既知の通貨種目の等級の一要素であると判断するように構成された装置。
【請求項１１】
請求項１０に記載の装置において、
該メモリ部が、該少なくとも１つの既知の通貨種目の第２のスペクトル成分感度を格納するように構成され、
該検証部がさらに、該挿入された未知の通貨種目の該スペクトル感度情報から、該挿入された未知の通貨種目の第２のスペクトル成分感度を取得するように構成され、
該第１のスペクトル成分感度は色空間内への該スペクトル感度の投影であり、該第２のスペクトル成分感度は該特定の色空間に直交する別の空間内への投影である、装置。
【請求項１２】
請求項１１に記載の装置において、該第１のスペクトル成分感度が基本メタマーである装置。
【請求項１３】
請求項１１又は１２に記載の装置において、該第２のスペクトル成分感度がブラック・メタマーである装置。
【請求項１４】
請求項１０に記載の装置において、該メモリ部が、該少なくとも１つの既知の通貨種目の第２のスペクトル成分感度を格納するように構成された装置。
【請求項１５】
請求項１０又は１４に記載の装置において、該検証部がさらに、該挿入された未知の通貨種目の該スペクトル感度情報から、該挿入された未知の通貨種目の第２のスペクトル成分感度を取得するように構成された装置。
【請求項１６】
請求項１０，１４又は１５のいずれか１項に記載の装置において、該第１の成分スペクトル感度が基本メタマーである装置。
【請求項１７】
請求項１０，１４、１５又は１６のいずれか１項に記載の装置において、該第２の成分スペクトル感度がブラック・メタマーである装置。
【請求項１８】
請求項１０乃至１７のいずれか１項に記載の装置において、該検証部がさらに、ＣＩＷ ＸＹＺ空間を使用して該スペクトル感度を判断するように構成された装置。
【請求項１９】
請求項１０乃至１８のいずれか１項に記載の装置において、該検証部がさらに、ＣＩＥ Ｌａｂ空間を使用して該スペクトル感度を判断するように構成された装置。
【手続補正書】
【提出日】平成23年5月10日(2011.5.10)
【手続補正１】
【補正対象書類名】特許請求の範囲
【補正対象項目名】全文
【補正方法】変更
【補正の内容】
【特許請求の範囲】
【請求項１】
哺乳類の体のインビボ光学イメージングに好適な造影剤であって、次の式Ｉのコンジュゲートを含む造影剤。
［ＢＴＭ］−（Ｌ）ｎ−ＣｙＤ              （Ｉ）
式中、
ＢＴＭは合成生物学的ターゲティング部分であり、
ＣｙＤは式ＩＩのシアニン色素であり、
【化１】
2010527922.tif 000001
（式中、
Ｙ１及びＹ２は独立に−Ｏ−、−Ｓ−、−ＮＲ６−又は−ＣＲ７Ｒ８−であって、Ｙ１及びＹ２の少なくとも一方が−ＣＲ７Ｒ８−であるように選択され、
Ｒ１及びＲ２は独立にＨ、−ＳＯ３Ｍ１又はＲａであり（式中、Ｍ１はＨ又はＢｃであり、Ｂｃは生体適合性陽イオンである。）、
Ｒ３はＨ、Ｃ１〜５アルキル、Ｃ１〜６カルボキシアルキル又はＲａ基であり、
Ｒ４〜Ｒ６は独立にＣ１〜５アルキル、Ｃ１〜６カルボキシアルキル又はＲａであり、
Ｒ７はＨ又はＣ１〜３アルキルであり、
Ｒ８はＲａ又はＣ１〜６カルボキシアルキルであり、
ＲａはＣ１〜４スルホアルキルである。）、
Ｌは式−（Ａ）ｍ−の合成リンカー基であり（式中、各Ａは独立に−ＣＲ２−、−ＣＲ＝ＣＲ−、−Ｃ≡Ｃ−、−ＣＲ２ＣＯ２−、−ＣＯ２ＣＲ２−、−ＮＲＣＯ−、−ＣＯＮＲ−、−ＮＲ（Ｃ＝Ｏ）ＮＲ−、−ＮＲ（Ｃ＝Ｓ）ＮＲ−、−ＳＯ２ＮＲ−、−ＮＲＳＯ２−、−ＣＲ２ＯＣＲ２−、−ＣＲ２ＳＣＲ２−、−ＣＲ２ＮＲＣＲ２−、Ｃ４〜８シクロヘテロアルキレン基、Ｃ４〜８シクロアルキレン基、Ｃ５〜１２アリーレン基若しくはＣ３〜１２ヘテロアリーレン基、アミノ酸、糖又は単分散ポリエチレングリコール（ＰＥＧ）構成ブロックであって、各ＲはＨ、Ｃ１〜４アルキル、Ｃ２〜４アルケニル、Ｃ２〜４アルキニル、Ｃ１〜４アルコキシアルキル又はＣ１〜４ヒドロキシアルキルから独立に選択され、ｍは１〜２０の整数である。）、
ｎは０又は１の整数であるが、ただし、
（ｉ）シアニン色素は１以上のＲａ基と、Ｒ１、Ｒ２及びＲａ基から合計３〜６個のスルホン酸置換基とを含むこと、
（ｉｉ）当該造影剤が蛍光消光剤を含まないこと、及び
（ｉｉｉ）ＢＴＭがペプチドであって、該ペプチドの少なくとも一方の末端が、該ＢＴＭペプチドの酵素代謝を阻害又は抑制する生体適合性基である代謝阻害基ＭＩＧに結合していること
を条件とする。
【請求項２】
Ｒ３がＨである、請求項１記載の造影剤。
【請求項３】
Ｙ１及びＹ２が各々独立に−ＣＲ７Ｒ８−である、請求項１又は請求項２記載の造影剤。
【請求項４】
ＣｙＤが、Ｒ１、Ｒ２及びＲａ基から選択される合計４個のスルホン酸置換基を有する、請求項１乃至請求項３のいずれか１項記載の造影剤。
【請求項５】
Ｒａ基が独立に式−（ＣＨ２）ｋＳＯ３Ｍ１のものである（式中、Ｍ１は請求項１で定義した通りであり、ｋは１〜４の整数である。）、請求項１乃至請求項４のいずれか１項記載の造影剤。
【請求項６】
ＣｙＤが式ＩＩＩのものである、請求項１乃至請求項５のいずれか１項記載の造影剤。
【化２】
2010527922.tif 000002
式中、
Ｒｂは独立にＲａ基又はＣ１〜６カルボキシアルキルであり、
Ｒ９〜Ｒ１２は独立にＣ１〜５アルキル又はＲｂ基であって、Ｒ９＝Ｒ１０＝Ｒｃ又はＲ１１＝Ｒ１２＝Ｒｃのいずれかとなるように選択され（式中、ＲｃはＣ１〜２アルキルである。）、
Ｒａ及びＭ１は請求項１で定義した通りである。
【請求項７】
ＢＴＭが以下の（ｉ）〜（ｖ）から選択される、請求項１乃至請求項６のいずれか１項記載の造影剤。
（ｉ）３〜１００アミノ酸長のペプチド、
（ｉｉ）酵素基質、酵素拮抗剤又は酵素阻害剤、
（ｉｉｉ）受容体結合性化合物、
（ｉｖ）オリゴヌクレオチド、
（ｖ）オリゴＤＮＡ又はオリゴＲＮＡ断片。
【請求項８】
ＢＴＭが３〜１００アミノ酸長のペプチドであり、当該造影剤が以下の式ＩＶａ又は式ＩＶｂのものである、請求項７記載の造影剤。
［ＣｙＤ］−（Ｌ）ｎ−［ＢＴＭ］−Ｚ２      （ＩＶａ）
Ｚ１−［ＢＴＭ］−（Ｌ）ｎ−［ＣｙＤ］      （ＩＶｂ）
式中、
Ｚ１はＢＴＭペプチドのＮ末端に結合していて、Ｈ又はＭＩＧであり、
Ｚ２はＢＴＭペプチドのＣ末端に結合していて、ＯＨ、ＯＢｃ又はＭＩＧであり、
Ｂｃ及びＭＩＧは請求項１で定義した通りである。
【請求項９】
請求項１乃至請求項８のいずれか１項記載の造影剤を生体適合性担体と共に哺乳類への投与に適した形態で含む医薬組成物。
【請求項１０】
請求項９記載の医薬組成物の調製用キットであって、生体適合性担体の無菌供給で再構成すれば溶解が起きて所望の医薬組成物が得られるように請求項１乃至請求項８のいずれか１項記載の造影剤を無菌固体形態で含むキット。
【請求項１１】
次の式Ｉａのコンジュゲート。
［ＢＴＭ］−（Ｌ）ｎ−ＣｙＤ              （Ｉ）
［ＢＴＭ］−（Ｌ）ｎ−ＣｙＤ              （Ｉａ）
式中、ＢＴＭ、Ｌ及びｎは請求項１で定義した通りであり、ＣｙＤは次の式ＩＩＩａのものである。
【化３】
2010527922.tif 000003
式中、
Ｒ９〜Ｒ１２は独立にＲｂ又はＲｃ基であって、Ｒ９〜Ｒ１２の１つがＲａ基で、その他が各々Ｒｃ基であるように選択され（式中、ＲｃはＣ１〜２アルキルである。）、
Ｒａ、Ｒｂ及びＭ１は請求項６で定義した通りである。
【請求項１２】
請求項１１記載のコンジュゲートの調製に有用な、請求項１１に記載された式ＩＩＩａのシアニン色素。
【請求項１３】
Ｑａ基（式中、ＱａはＢＴＭとの結合に適した反応性官能基である。）をさらに含む、請求項１２記載のシアニン色素。
【請求項１４】
哺乳類の体のインビボ光学イメージング方法に用いられる医薬品組成物の製造に用いられる請求項１乃至請求項８のいずれか１項記載の造影剤であって、インビボでのＢＴＭの局在の画像化部位を含む造影剤。
【請求項１５】
前記インビボ光学イメージングが、哺乳類の体の病勢進行の検出、ステージング、診断、モニタリング又は病気の治療のモニタリングの方法を含む、請求項１４記載の造影剤。
【手続補正書】
【提出日】平成23年5月16日(2011.5.16)
【手続補正１】
【補正対象書類名】特許請求の範囲
【補正対象項目名】全文
【補正方法】変更
【補正の内容】
【特許請求の範囲】
【請求項１】
移植片対宿主病を患っていることが確認された被験者において、ドナー骨髄由来のＴ細胞の活性を阻害する医薬であって、それを必要とする被験者に、治療的に有効な量の同種クローン骨髄幹細胞集団を投与するドナー骨髄由来のＴ細胞の活性阻害剤。
【請求項２】
前記幹細胞の投与量が、１回の投与につき１×１０４細胞／ｋｇ体重〜１×１０８細胞／ｋｇ体重である、請求項１に記載の剤。
【請求項３】
前記幹細胞を亜分画培養法を用いて単離する、請求項１に記載の剤。
【請求項４】
前記幹細胞がＣＤ２９細胞表面抗原、ＣＤ４４細胞表面抗原、及びＣＤ１０５細胞表面抗原を発現するが、ＨＬＡ−ＤＲ細胞表面抗原は発現しない、請求項１に記載の剤。
【請求項５】
前記幹細胞がＣＤ２９細胞表面抗原、ＣＤ４４細胞表面抗原、ＣＤ７３細胞表面抗原、ＣＤ９０細胞表面抗原、ＣＤ１０５細胞表面抗原、及びＣＤ１６６細胞表面抗原を発現するが、ＣＤ１０６細胞表面抗原、ＣＤ１１９細胞表面抗原、又はＨＬＡ−ＤＲ細胞表面抗原は発現しない、請求項１に記載の剤。
【請求項６】
前記同種クローン骨髄幹細胞が、インターロイキン−１０を少なくとも約５ｎｇ／ｍｌの濃度で分泌する、請求項１に記載の剤。
【請求項７】
移植片対宿主病を患っていることが確認された被験者において、移植片対宿主病の症状を治療する方法であって、それを必要とする被験者に、治療的に有効な量の同種クローン骨髄幹細胞集団を投与することを含む、移植片対宿主病の症状の治療剤。
【請求項８】
前記移植片対宿主病の症状が、胃腸管症状、皮膚硬化、経口摂取の制限、目の乾燥、肝症状、息切れ、又は腕若しくは脚の緊張である、請求項７に記載の剤。
【請求項９】
前記胃腸症状が１日糞便量の増加である、請求項８に記載の剤。
【請求項１０】
前記胃腸症状が大腸炎症である、請求項８に記載の剤。
【請求項１１】
前記肝症状が血清中アルカリホスファターゼ値の上昇である、請求項８に記載の剤。
【請求項１２】
移植片対宿主病を患っていることが確認された被験者において、ドナー骨髄由来のＴ細胞の活性を阻害する医薬であって、
（Ａ）骨髄細胞の生体サンプルを操作することであって、
（ｉ）前記細胞サンプルを容器に定着させること、
（ｉｉ）上清を前記容器から別の容器に移すこと、及び
（ｉｉｉ）前記サンプルにおいて比較的低い密度を有する細胞を前記上清から単離し、同種クローン骨髄幹細胞集団を得る、単離することを含む、操作すること、並びに
（Ｂ）それを必要とする前記被験者に、（Ａ）で得られる同種クローン骨髄幹細胞集団を治療的に有効な量投与することを含む、Ｔ細胞の活性阻害剤。
【請求項１３】
前記容器をコーティングにより処理する、請求項１２に記載の剤。
【請求項１４】
前記コーティングがコラーゲン、ポリリジン、フィブリノーゲン、又はゼラチンである、請求項１３に記載の剤。
【請求項１５】
移植片対宿主病を患っていることが確認された被験者において、移植片対宿主病の症状を治療する医薬であって、
（Ａ）骨髄細胞の生体サンプルを操作することであって、
（ｉ）前記細胞サンプルを容器に定着させること、
（ｉｉ）上清を前記容器から別の容器に移すこと、及び
（ｉｉｉ）前記サンプルにおいて比較的低い密度を有する細胞を前記上清から単離し、同種クローン骨髄幹細胞集団を得る、単離することを含む、操作すること、並びに
（Ｂ）それを必要とする前記被験者に、（Ａ）で得られる同種クローン骨髄幹細胞集団を治療的に有効な量投与することを含む、移植片対宿主病の症状治療剤。
【請求項１６】
前記細胞の投与量が、１×１０４細胞／ｋｇ〜１×１０８細胞／ｋｇである、請求項１５に記載の剤。
【請求項１７】
前記細胞がＣＤ２９細胞表面抗原、ＣＤ４４細胞表面抗原、及びＣＤ１０５細胞表面抗原を発現するが、ＨＬＡ−ＤＲ細胞表面抗原は発現しない、請求項１５に記載の剤。
【請求項１８】
前記細胞がＣＤ２９細胞表面抗原、ＣＤ４４細胞表面抗原、ＣＤ７３細胞表面抗原、ＣＤ９０細胞表面抗原、ＣＤ１０５細胞表面抗原、及びＣＤ１６６細胞表面抗原を発現するが、ＣＤ１０６細胞表面抗原、ＣＤ１１９細胞表面抗原、又はＨＬＡ−ＤＲ細胞表面抗原は発現しない、請求項１５に記載の剤。
【請求項１９】
前記細胞集団が、インターロイキン−１０を少なくとも約５ｎｇ／ｍｌの濃度で分泌する、請求項１５に記載の剤。
【請求項２０】
急性又は慢性の移植片対宿主病を治療するための治療剤であって、活性成分として同種クローン骨髄幹細胞集団を含む、治療剤。
【請求項２１】
前記細胞が、亜分画培養法を用いて単離される、請求項２０に記載の治療剤。
【請求項２２】
前記細胞がＣＤ２９細胞表面抗原、ＣＤ４４細胞表面抗原、及びＣＤ１０５細胞表面抗原を発現するが、ＨＬＡ−ＤＲ細胞表面抗原は発現しない、請求項２０に記載の治療剤。
【請求項２３】
前記細胞がＣＤ２９細胞表面抗原、ＣＤ４４細胞表面抗原、ＣＤ７３細胞表面抗原、ＣＤ９０細胞表面抗原、ＣＤ１０５細胞表面抗原、及びＣＤ１６６細胞表面抗原を発現するが、ＣＤ１０６細胞表面抗原、ＣＤ１１９細胞表面抗原、又はＨＬＡ−ＤＲ細胞表面抗原は発現しない、請求項２０に記載の治療剤。
【請求項２４】
前記細胞が少なくとも約５ｎｇ／ｍｌのインターロイキン−１０（ＩＬ−１０）を分泌する、請求項２０に記載の治療剤。
【請求項２５】
前記細胞が、密度勾配遠心分離法を用いて単離される細胞の少なくとも約５倍のＩＬ−１０を分泌する、請求項２０に記載の治療剤。
【請求項２６】
密度勾配遠心分離法を用いて単離される細胞の少なくとも約５倍のＩＬ−１０を発現する、同種クローン骨髄幹細胞集団。
【請求項２７】
密度勾配遠心分離法を用いて単離される細胞の少なくとも約５倍のＩＬ−１０を発現する、同種クローン骨髄幹細胞集団であって、
（ｉ）骨髄細胞のサンプルを容器に定着させること、
（ｉｉ）上清を前記容器から別の容器に移すこと、及び
（ｉｉｉ）前記サンプルにおいて比較的低い密度を有する細胞を前記上清から単離することにより得られる、同種クローン骨髄幹細胞集団。
【請求項２８】
前記骨髄細胞を３７℃で約１時間〜３時間、次に約２回〜３回繰り返して３７℃で約１２時間〜３６時間、次に３７℃で約２４時間〜７２時間、毎回培養上清の上方を新たな培養容器に移しながらインキュベートする、請求項２７に記載の同種クローン骨髄幹細胞集団。
【請求項２９】
前記容器をコーティングにより処理する、請求項２７に記載の同種クローン骨髄幹細胞集団。
【請求項３０】
前記コーティングがコラーゲン、ポリリジン、フィブリノーゲン、又はゼラチンである、請求項２９に記載の同種クローン骨髄幹細胞集団。
【請求項３１】
前記繰り返しのインキュベーションを約４回〜５回行なう、請求項２８に記載の同種クローン骨髄幹細胞集団。
【手続補正書】
【提出日】平成23年4月1日(2011.4.1)
【手続補正１】
【補正対象書類名】特許請求の範囲
【補正対象項目名】全文
【補正方法】変更
【補正の内容】
【特許請求の範囲】
【請求項１】
ガラス製であり、放電ガスで満たされた放電体積を取り囲み、内面には蛍燐光体コーティングが施されており、連続的なアーク経路が形成され、更に、該アーク経路の各端に電極を備えている少なくとも１つの放電管から成る放電管配置構造と、
ランプの主軸に対して実質的に平行な平面に配置されるプリント基板に取り付けられており、前記管内の電流を制御し、導入線によって前記電極に接続され、導出線によって供給電圧に接続されている安定器回路と、
前記放電管配置構造を取り囲む略球面部と、前記安定器回路を取り囲む伸長端部とを有する球状の外側エンベロープとから成る、電球形蛍光ランプであって、
前記外側エンベロープの前記端部は、口金側に開口端を有し、
前記開口端は、前記外側エンベロープの材料と適合する材料製の閉鎖手段を用いて閉鎖され終端処理されており、
前記安定器回路と前記放電管配置構造は、前記ランプの前記主軸に対して実質的に垂直な平面に配置され、前記放電管と前記安定器回路の前記プリント基板の収容及び固定部を有する保持及び保護シールドによって前記外側エンベロープ内で互いに対して所定位置に保持されていることを特徴とする、電球形蛍光ランプ。
【請求項２】
前記保持及び保護シールドは、弾性材料製であり、該シールドが組立中又は最終位置にある時に軸力が加わる接触領域の前記外側エンベロープの内径（ｄ）よりも、大きな対角線寸法（Ｄ）を有している、請求項１に記載の電球形蛍光ランプ。
【請求項３】
前記保持及び保護シールドは、前記シールドの外縁から延在する少なくとも２つの突出部を有しており、前記外側エンベロープの前記内面に接触する、請求項１乃至３のいずれか１項に記載の電球形蛍光ランプ。
【請求項４】
前記保持及び保護シールドは、前記突出部の少なくとも片側にスリットを有する、請求項４に記載の電球形蛍光ランプ。
【請求項５】
前記保持及び保護シールドの前記収容及び固定部は、前記放電管を収容して固定する略円形開口部である、請求項１乃至５のいずれか１項に記載の電球形蛍光ランプ。
【請求項６】
前記保持及び保護シールドの前記略円形開口部は、前記開口部の中心に向かって延在する少なくとも１つの突出部と、前記突出部の少なくとも片側のスリットを有しており、
前記放電管を収容して保持する前記保持及び保護シールドの前記略円形開口部の前記対角線寸法は、前記突出部において前記放電管の前記外径よりも小さい、請求項５に記載の電球形蛍光ランプ。
【請求項７】
前記保持及び保護シールドの前記略円形開口部は、前記略円形開口部の縁に沿って均等に配置された少なくとも２つのスリットを有しており、
前記放電管を収容して保持する前記保持及び保護シールドの前記円形開口部の直径は、前記放電管の前記外径よりも小さい、請求項５に記載の電球形蛍光ランプ。
【請求項８】
前記保持及び保護シールドは、前記安定器回路の前記プリント基板の収容及び保持手段として伸長開口部を有する、請求項１乃至５のいずれか１項に記載の電球型蛍光ランプ。
【請求項９】
前記保持及び保護シールドの前記伸長開口部は、互いに対向する弾性側部材を有しており、該開口部に前記安定器回路の前記プリント基板を挿入することにより、前記プリント基板が固定される、請求項８に記載の電球型蛍光ランプ。
【請求項１０】
前記保持及び保護シールドは、金属製である、請求項１乃至１０のいずれか１項に記載の電球形蛍光ランプ。
【請求項１１】
前記閉鎖手段は、前記エンベロープの前記開口端に接続されるフレア部と、前記安定器回路の前記導出線を受け入れて案内するために該フレア部から延在する管状開口部を有する排気管とを有する、請求項１乃至１４のいずれか１項に記載の電球形蛍光ランプ。
【請求項１２】
前記外側エンベロープは、前記ランプの前記主軸に対して実質的に垂直な平面の円周線に沿って分離された２つの部分から成り、
該２つの部分は、前記放電管配置構造の一部を収容する上部と、前記放電管配置構造の残りの部分と前記安定器回路を収容する下部であり、
前記エンベロープの前記２つの部分を接続及び密封して均一な球状エンベロープが形成されている、請求項１乃至１１のいずれか１項に記載の電球形蛍光ランプ。
【請求項１３】
前記外側エンベロープの前記円周分離線は、前記エンベロープの壁が略円筒形状を有する領域に定められる、請求項１６に記載の電球形蛍光ランプ。
【請求項１４】
前記放電管配置構造は、実質的に真っ直ぐな両端部と、前記両端部の間の中間部を有する単一の管から成り、
前記両端部は、前記管配置構造の一端にあって互いに近接しており、
前記中間部は、前記ランプの前記主軸の周囲に巻き付けられたコイル構造を有する、請求項１乃至１７のいずれか１項に記載の電球形蛍光ランプ。
【請求項１５】
電球形蛍光ランプの作製方法であって、
ａ）略球面部と、口金側の開口端によって終端処理された伸長端部とを有する外側エンベロープを形成する工程と、
ｂ）前記エンベロープの前記伸長部の前記開口端を、前記外側エンベロープの材料と適合する材料製の閉鎖手段であって、安定器回路と口金シェルの接点端子の間に導出線を受け入れて案内するための管状開口部も有する閉鎖手段によって閉鎖して終端処理する工程と、
ｃ）前記エンベロープを、前記ランプの主軸に対して実質的に垂直な平面の円周線に沿って前記口金側の前記閉鎖手段で終端処理された上部と下部に切断することによって分離する工程と、
ｄ）保持及び保護シールドを前記安定器回路に取り付け、前記放電管配置構造を前記保持及び保護シールドに挿入する工程と、
ｅ）前記放電管配置構造の導入線と前記導出線を前記安定器回路の各接続点に接続することによって、ランプ安定器アセンブリを形成する工程と、
ｆ）前記ランプ安定器アセンブリを前記エンベロープの前記下部に挿入し、前記導出線を前記閉鎖手段の前記管状開口部を貫通させる工程と、
ｇ）前記エンベロープの前記分離された上部と下部を分離線に沿って互いに結合する工程と、
ｈ）前記エンベロープの前記上部と下部を前記分離線に沿って結合して密封する工程と、
ｉ）前記エンベロープに口金を設ける工程と、
ｊ）前記導出線を前記口金の接点端子に接続する工程とを含むことを特徴とする、電球形蛍光ランプの作製方法。